(57)【要約】【課題】  使用者がタッチ感知部を見なくとも特定入力を行うことができ、且つ別の学習なしでも直観的に入力できる入力装置、ディスプレイ装置、ディスプレイシステム及びその制御方法を提供する。【解決手段】  ディスプレイ装置の入力装置は、前記ディスプレイ装置と通信を行う通信部と、前記ディスプレイ装置が有する画面の複数のエッジに対応する所定領域を含み、使用者のタッチ入力を受信するタッチ感知部と、前記所定領域を基準にしてタッチ入力の方向を決定する制御部と、を備えることを特徴とする。【選択図】      図２
2014106975.tif 000002
【特許請求の範囲】
【請求項１】
ディスプレイ装置の入力装置であって、
前記ディスプレイ装置と通信を行う通信部と、
前記ディスプレイ装置が有する画面の複数のエッジに対応する所定領域を含み、使用者のタッチ入力を受信するタッチ感知部と、
前記所定領域を基準にしてタッチ入力の方向を決定する制御部と、
を備えることを特徴とする入力装置。
【請求項２】
前記タッチ入力の方向は、前記所定領域を貫く方向、及び前記所定領域に沿う方向を含むことを特徴とする、請求項１に記載の入力装置。
【請求項３】
前記ディスプレイ装置は、前記通信部と通信を行うことによって、前記画面の複数のエッジのうち、前記決定されたタッチ入力の方向に対応するいずれか一つのエッジからメニューを活性化させることを特徴とする、請求項１に記載の入力装置。
【請求項４】
前記所定領域は、所定の長さの棒（ｂａｒ）形状を有することを特徴とする、請求項１に記載の入力装置。
【請求項５】
前記所定領域は、ドット形状を有することを特徴とする、請求項１に記載の入力装置。
【請求項６】
前記所定領域は、所定の高さで隆起していることを特徴とする、請求項１に記載の入力装置。
【請求項７】
前記所定領域は、所定の深さの溝で形成されていることを特徴とする、請求項１に記載の入力装置。
【請求項８】
映像信号を受信する信号受信部と、
前記映像信号を処理する映像処理部と、
前記映像信号に基づく映像を画面に表示するディスプレイ部と、
使用者のタッチ入力を受け取る、請求項１、請求項２、及び請求項４乃至７、のいずれかに記載の入力装置と通信を行う通信部と、
前記タッチ入力によって、前記画面の複数のエッジのうち、前記タッチ入力に対応するいずれか一つのエッジからメニューが活性化するように制御する制御部と、
を備えることを特徴とする、ディスプレイ装置。
【請求項９】
ディスプレイ装置及び入力装置を含むディスプレイシステムであって、
前記ディスプレイ装置が、
映像信号を受信する信号受信部と、
前記映像信号を処理する映像処理部と、
前記映像信号に基づく映像を画面に表示するディスプレイ部と、
使用者のタッチ入力を受け取る、請求項１乃至７のいずれかに記載の入力装置と通信を行う第１通信部と、
前記タッチ入力によって、前記画面の複数のエッジのうち、前記タッチ入力に対応するいずれか一つのエッジからメニューが活性化するように制御する第１制御部と、を備えることを特徴とする、ディスプレイシステム。
【請求項１０】
ディスプレイ装置及び入力装置を含むディスプレイシステムの制御方法であって、
前記ディスプレイ装置が有する画面の複数のエッジに対応して隆起した所定領域を含む前記入力装置を用いて使用者がタッチ入力する段階と、
前記入力装置が所定領域を基準にして前記使用者のタッチ入力の方向を判断する段階と、
前記入力装置が、前記方向が判断された使用者のタッチ入力を前記ディスプレイ装置に伝送する段階と、
前記ディスプレイ装置が前記画面の複数のエッジのうち、前記受信した使用者のタッチ入力に対応するいずれか一つのエッジからメニューを活性化させるように制御する段階と、
を含むことを特徴とする、ディスプレイシステムの制御方法。
【請求項１１】
前記入力装置が所定領域を基準にして前記使用者のタッチ入力の方向を判断する段階は、
前記所定領域を貫く方向及び前記所定領域に沿う方向のいずれか一方と判断する段階を含むことを特徴とする、請求項１０に記載のディスプレイシステムの制御方法。
【請求項１２】
前記使用者のタッチ入力が前記所定領域を貫く方向と判断される場合に、前記ディスプレイ装置が前記画面の複数のエッジのうち、前記受信した使用者のタッチ入力に対応するいずれか一つのエッジからメニューを活性化させるように制御することを特徴とする、請求項１１に記載のディスプレイシステムの制御方法。
【請求項１３】
前記使用者のタッチ入力が前記所定領域に沿う方向と判断される場合に、前記活性化したメニューの項目に対するスクロール動作を行うように制御することを特徴とする、請求項１２に記載のディスプレイシステムの制御方法。
【発明の詳細な説明】
【技術分野】
【０００１】
本発明は、入力装置、ディスプレイ装置、ディスプレイシステム及びその制御方法に係り、特に、使用者のタッチ入力を受信するタッチ感知部を備えた入力装置、ディスプレイ装置、ディスプレイシステム及びその制御方法に関する。
【背景技術】
【０００２】
現在、ディスプレイ装置と共に使用されているタッチリモコンのタッチ感知部は、使用者がチャネル／ボリューム操作などの、タッチパッド上に別個に定義された動作を実行するとき、タッチ感知部を直接目で見ながら指定された領域を押さなければならない。また、タッチ感知部は、全面が平坦になっており、いずれの領域をタッチしても同様のタッチ動作が行われる。
【０００３】
その上、特定操作を行うには、別の学習認知過程が必要である。
【発明の概要】
【発明が解決しようとする課題】
【０００４】
本発明は、使用者がタッチ感知部を見なくとも特定入力を行うことができる入力装置、ディスプレイ装置、ディスプレイシステム及びその制御方法を提供する。
【０００５】
また、使用者が別の学習なしでも直観的に入力できる入力装置、ディスプレイ装置、ディスプレイシステム及びその制御方法を提供する。
【課題を解決するための手段】
【０００６】
本発明の一側面に係るディスプレイ装置の入力装置は、前記ディスプレイ装置と通信を行う通信部と、前記ディスプレイ装置が有する画面の複数のエッジに対応する所定領域を含み、使用者のタッチ入力を受信するタッチ感知部と、前記所定領域を基準にしてタッチ入力の方向を決定する制御部と、を備えることを特徴とする。前記タッチ入力の方向は、前記所定領域を貫く方向及び前記所定領域に沿う方向を含むとよい。
【０００７】
前記ディスプレイ装置は、前記通信部と通信を行うことによって、前記画面の複数のエッジのうち、前記決定されたタッチ入力の方向に対応するいずれかのエッジからメニューを活性化させるとよい。
【０００８】
前記所定領域は、所定長さの棒（ｂａｒ）形状を有するとよい。前記所定領域は、ドット形状を有してもよい。前記所定領域は、所定の高さで隆起していてもよい。前記所定領域は、所定の深さの溝で形成されていてもよい。
【０００９】
本発明の一側面に係るディスプレイ装置は、映像信号を受信する信号受信部と、前記映像信号に基づく映像を画面に表示するディスプレイ部と、使用者のタッチ入力を受け取る入力装置と通信を行う通信部と、前記タッチ入力によって、前記画面の複数のエッジのうち、前記タッチ入力に対応するいずれかのエッジからメニューが活性化するように制御する制御部と、を備えることを特徴とする。
【００１０】
前記使用者のタッチ入力を受け取る入力装置は、前記複数のエッジに対応して隆起した所定領域を含み、該所定領域を基準にしてタッチ入力の方向が決定されるとよい。
【００１１】
前記タッチ入力の方向は、前記所定領域を貫く方向、及び前記所定領域に沿う方向を含むとよい。
【００１２】
前記所定領域は所定長さの棒（ｂａｒ）形状を有するとよい。前記所定領域は、ドット形状を有してもよい。前記所定領域は、所定の高さで隆起していてもよい。前記所定領域は、所定の深さの溝で形成されていてもよい。
【００１３】
本発明の一側面に係るディスプレイ装置及び入力装置を含むディスプレイシステムは、前記ディスプレイ装置が、映像信号を受信する信号受信部と、前記映像信号に基づく映像を画面に表示するディスプレイ部と、使用者のタッチ入力を受け取る入力装置と通信を行う第１通信部と、前記タッチ入力によって、前記画面の複数のエッジのうち、前記タッチ入力に対応するいずれかのエッジからメニューが活性化するように制御する第１制御部と、を備え、前記入力装置が、前記ディスプレイ装置と通信を行う第２通信部と、前記ディスプレイ装置が有する画面の複数のエッジに対応して隆起した所定領域を含み、使用者のタッチ入力を受信するタッチ感知部と、前記所定領域を基準にしてタッチ入力の方向を決定する第２制御部と、を備えることを特徴とする。
【００１４】
前記タッチ入力の方向は、前記所定領域を貫く方向、及び前記所定領域に沿う方向を含むとよい。
【００１５】
前記ディスプレイ装置は、前記通信部と通信を行うことによって、前記画面の複数のエッジのうち、前記決定されたタッチ入力の方向に対応するいずれかのエッジからメニューを活性化させるとよい。
【００１６】
前記所定領域は所定長さの棒（ｂａｒ）形状を有するとよい。前記所定領域は、ドット形状を有してもよい。前記所定領域は、所定の高さで隆起していてもよい。前記所定領域は、所定の深さの溝で形成されていてもよい。
【００１７】
本発明の一側面に係るディスプレイ装置及び入力装置を含むディスプレイシステムの制御方法は、前記ディスプレイ装置が有する画面の複数のエッジに対応して隆起した所定領域を含む前記入力装置を用いて使用者がタッチ入力する段階と、前記入力装置が所定領域を基準にして前記使用者のタッチ入力の方向を判断する段階と、前記入力装置が前記方向の判断された使用者のタッチ入力を前記ディスプレイ装置に伝送する段階と、前記ディスプレイ装置が前記画面の複数のエッジのうち前記受信した使用者のタッチ入力に対応するいずれかのエッジからメニューを活性化させるように制御する段階と、を含むことを特徴とする。
【００１８】
前記入力装置が所定領域を基準にして前記使用者のタッチ入力の方向を判断する段階は、前記所定領域を貫く方向及び前記所定領域に沿う方向のいずれか一方と判断する段階を含んでもよい。
【００１９】
前記使用者のタッチ入力が前記所定領域を貫く方向と判断される場合に、前記ディスプレイ装置が前記画面の複数のエッジのうち前記受信した使用者のタッチ入力に対応するいずれかのエッジからメニューを活性化させるように制御してもよい。前記使用者のタッチ入力が前記所定領域に沿う方向と判断される場合に、前記活性化したメニューの項目に対してスクロール動作を行うように制御してもよい。
【発明の効果】
【００２０】
上述の如く、本発明に係る入力装置、ディスプレイ装置、ディスプレイシステム及びその制御方法によれば、使用者がタッチ感知部を見なくとも特定入力を行うことができる。
【００２１】
また、使用者にとって別の学習なしでも直観的な入力が可能となる。
【図面の簡単な説明】
【００２２】
【図１】本発明の一実施例に係るディスプレイシステムのブロック図である。
【図２】本発明の一実施例に係るディスプレイ装置の入力装置に備えられるタッチ感知部を上から見た概略平面図である。
【図３】図２のタッチ感知部を下から見た概略断面図である。
【図４】本発明の他の実施例に係るディスプレイ装置の入力装置に備えられるタッチ感知部を下から見た概略断面図である。
【図５】本発明のさらに他の実施例に係るディスプレイ装置の入力装置に備えられるタッチ感知部を上から見た概略平面図である。
【図６】本発明のさらに他の実施例に係るディスプレイ装置の入力装置に備えられるタッチ感知部を上から見た概略平面図である。
【図７】本発明の一実施例に係るディスプレイ装置の画面において、タッチ入力に応じて画面のエッジからスライディング表示され得るＯＳＤを示す概略図である。
【図８】本発明の一実施例に係るディスプレイ装置の画面において、タッチ入力に応じて画面のエッジにスライディング表示されたメニュー項目に対するスクロール動作を示す概略図である。
【図９】本発明の一実施例に係るディスプレイシステムの制御方法を説明するためのフローチャートである。
【図１０】本発明の他の実施例に係るディスプレイシステムの制御方法を説明するためのフローチャートである。
【発明を実施するための形態】
【００２３】
以下、添付の図面を参照して本発明の好適な実施例について詳しく説明する。
【００２４】
図１は、本発明の一実施例に係るディスプレイシステムのブロック図である。図１を参照すると、本発明の一実施例に係るディスプレイシステムは、ディスプレイ装置１及び入力装置１００を含む。
【００２５】
ディスプレイ装置１は、映像を表示できる種々の装置であってよい。本実施例ではディスプレイ装置１としてＴＶを取り上げる。ここで、ディスプレイ装置１は、映像信号を受信する信号受信部２と、映像信号を処理する映像処理部３と、当該映像信号に基づく映像を画面に表示するディスプレイ部４と、使用者のタッチ入力を受け取る入力装置１００と通信を行う第１通信部６と、タッチ入力によって、画面の複数のエッジのうち、タッチ入力に対応するいずれかのエッジからメニューが活性化するように制御する第１制御部５と、を備えている。
【００２６】
ディスプレイ装置１の信号受信部２は、コネクター（図示せず）を介して外部から映像信号を受信してもよく、又は内部の記憶装置（図示せず）から映像信号を受信してもよい。信号受信部２は、受信した映像信号を映像処理部３に送る。ディスプレイ装置１の映像処理部３は、信号受信部２が受信した映像信号をディスプレイ部４が表示できるように処理し、ディスプレイ部４に送る。
【００２７】
ディスプレイ装置１のディスプレイ部４は、映像処理部３により処理された映像信号に基づいて映像を表示する。ディスプレイ装置１の通信部６は、使用者のタッチ入力を受け取る入力装置１００と通信を行い、使用者のタッチ入力に対応する命令を受信して第１制御部５に伝送する。
【００２８】
ディスプレイ装置１の制御部６は、入力装置１００からの使用者のタッチ入力によって、画面の複数のエッジのうち、タッチ入力に対応するいずれかのエッジからメニューが活性化するように制御する。一般に、ディスプレイ装置１の画面は、上、下、左、右の４つのエッジを有する。また、タッチ入力に対応して活性化するメニューは、ＯＳＤのようなメニューであればよい。
【００２９】
入力装置１００としては、ディスプレイ装置１を遠隔で制御するためのタッチリモコンを含む。しかし、タッチ機能を有するうえに、ディスプレイ装置１に入力を行える入力装置であれば特に限定されない。
【００３０】
入力装置１００は、ディスプレイ装置１と通信を行う第２通信部２００と、ディスプレイ装置１が有する画面の複数のエッジに対応する所定領域４０１，４０２，４０３，４０４，４０２'，４０３'，４０４'，４０５，４０６，４０７，４０８，４０９を含み、且つ使用者のタッチ入力を受信するタッチ感知部４００と、これら所定領域４０１，４０２，４０３，４０４，４０２’，４０３’，４０４’，４０５，４０６，４０７，４０８，４０９を基準にしてタッチ入力の方向を決定する第２制御部３００と、を備えている。
【００３１】
入力装置１００の第２通信部２００は、使用者のタッチ入力に対応する命令をディスプレイ装置１の第１通信部６に伝送すればよい。入力装置１００のタッチ感知部４００は、ディスプレイ装置１が有する画面の複数のエッジに対応する所定領域４０１，４０２，４０３，４０４，４０２’，４０３’，４０４’，４０５，４０６，４０７，４０８，４０９を含む。そのため、タッチ感知部４００に設けられた所定領域の個数は、ディスプレイ装置１の画面が有するエッジの個数に対応する。このようなタッチ感知部４００の所定領域４０１，４０２，４０３，４０４，４０２’，４０３’，４０４’，４０５，４０６，４０７，４０８，４０９は、使用者のタッチ入力を受け取る機能を担う。ここで、所定領域４０１，４０２，４０３，４０４，４０２’，４０３’，４０４’，４０５，４０６，４０７，４０８，４０９は、様々なタッチ入力方式のものであってよい。例えば、抵抗膜方式、静電容量方式、圧力方式などのタッチ入力が適用されてよい。
【００３２】
一方、このような所定領域４０１，４０２，４０３，４０４，４０２’，４０３’，４０４’，４０５，４０６，４０７，４０８，４０９は様々な形態や質感などを有し、タッチ感知部４００の他の面と区別されるとよい。
【００３３】
具体的には、所定領域４０１，４０２，４０３，４０４，４０２’，４０３’，４０４’，４０５，４０６，４０７，４０８，４０９は下記のような様々な形態を有してよい。
【００３４】
図２は、本発明の一実施例に係るディスプレイ装置１の入力装置１００に備えられるタッチ感知部４００を上から見た概略平面図である。  図２に示すように、入力装置１００のタッチ感知部４００は、ディスプレイ装置１の画面が有する４個のエッジに対応して４個の所定領域４０１，４０２，４０３，４０４を含む。本実施例によれば、所定領域４０１，４０２，４０３，４０４はタッチ感知部４００の平面から隆起しており、且つ所定の棒（ｂａｒ）形状をしている。
【００３５】
図３は、図２のタッチ感知部４００を下から見た概略断面図である。図３に示すように、このような棒状の所定領域４０１，４０２，４０３，４０４は、使用者の指で感知できる程度の高さと幅で隆起しており、且つ所定の長さを有していればよい。一方、所定領域４０１，４０２，４０３，４０４は、タッチ感知部４００の平面から隆起する代替として、所定深さの溝で形成されてもよい。
【００３６】
図４は、本発明の他の実施例に係るディスプレイ装置１の入力装置１００に備えられるタッチ感知部４００を下から見た概略断面図である。図４に示すように、ディスプレイ装置１の画面が有する４個のエッジに対応して設けられる所定領域４０２’，４０３’，４０４’は、使用者の指で感知できる程度の深さと幅で窪んでおり、且つ所定の長さを有していればよい。
【００３７】
一方、所定領域４０１，４０２，４０３，４０４は、ディスプレイ装置１の画面が有する４個のエッジに対応して４個が別個に設けられる代替として、画面に対応して一体型に設けられてもよい。
【００３８】
図５は、本発明のさらに他の実施例に係るディスプレイ装置１の入力装置１００に備えられるタッチ感知部４００を上から見た概略平面図である。本実施例では、所定領域４０５として、所定の幅を持つ、隅を丸くした矩形の閉曲線を示しているが、これに限定されず、様々な形状にしてもよい。例えば、所定領域４０５は円形の閉曲線にしてもよい。
【００３９】
一方、ディスプレイ装置１の画面が有する４個のエッジに対応して設けられる所定領域４０２’，４０３’，４０４’は、使用者の指で感知できる程度のドット形態をしてもよい。
【００４０】
図６は、本発明のさらに他の実施例に係るディスプレイ装置１の入力装置１００に備えられるタッチ感知部４００を上から見た概略平面図である。本実施例では、所定領域４０６，４０７，４０８，４０９を円形のドットとしているが、これに限定されず、様々な形状にしてもよい。例えば、所定領域４０６，４０７，４０８，４０９はそれぞれ菱形の形状にしてもよい。
【００４１】
一方、以上例示した様々な形態を組み合わせて所定領域４０１，４０２，４０３，４０４，４０２’，４０３’，４０４’，４０５，４０６，４０７，４０８，４０９を具現してもよい。例えば、左右は溝の形態にし、上下は隆起の形態にしてもよい。また、例えば、上下にのみ隆起した特定形態で所定領域を設け、左右には、特定形態を与えず、タッチ感知部４００と面一にした状態で、所定領域のみを割り当ててもよい。
【００４２】
一方、入力装置１００のタッチ感知部４００の所定領域は、他の領域と異なる質感にしてもよい。例えば、タッチ感知部４００の全領域を滑らかにし、所定領域に該当する部分のみを凹凸にしてもよい。又は、タッチ感知部４００の所定領域は、特定形態を持つことなく、領域のみが割り当てられてもよい。
【００４３】
再び図１を参照すると、入力装置１００の第２制御部３００は、所定領域４０１，４０２，４０３，４０４，４０２’，４０３’，４０４’，４０５，４０６，４０７，４０８，４０９を基準にしてタッチ入力の方向を決定する。
【００４４】
換言すれば、使用者のタッチ入力の方向は、所定領域４０１，４０２，４０３，４０４，４０２’，４０３’，４０４’，４０５，４０６，４０７，４０８，４０９を貫く方向と、所定領域４０１，４０２，４０３，４０４，４０２’，４０３’，４０４’，４０５，４０６，４０７，４０８，４０９に沿う方向を含んでよい。
【００４５】
使用者のタッチ入力が所定領域４０１，４０２，４０３，４０４，４０２’，４０３’，４０４’，４０５，４０６，４０７，４０８，４０９を貫く方向と判断される場合、入力装置１００の第２制御部３００は、ディスプレイ装置１が画面の複数のエッジのうち、使用者のタッチ入力に対応するいずれかのエッジからメニューを活性化させるように制御する命令を、ディスプレイ装置１の第１通信部６に伝送すればよい。
【００４６】
図７は、本発明の一実施例に係るディスプレイ装置１の画面において、タッチ入力に応じて画面のエッジからスライディング表示されるようになっているＯＳＤを示す概略図である。
【００４７】
例えば、使用者が入力装置１００のタッチ感知部４００の所定領域４０１を上から下に貫くようにタッチする場合、貫くタッチ動作に対応してディスプレイ装置１は画面の上側エッジからＯＳＤ２１をスライディング表示する。使用者が入力装置１００のタッチ感知部４００の所定領域４０２を左側から右側に貫くようにタッチする場合、貫くタッチ動作に対応してディスプレイ装置１は画面の左側エッジからＯＳＤ２２をスライディング表示する。使用者が入力装置１００のタッチ感知部４００の所定領域４０３を右側から左側に貫くようにタッチする場合、貫くタッチ動作に対応してディスプレイ装置１は画面の右側エッジからＯＳＤ２３をスライディング表示する。使用者が入力装置１００のタッチ感知部４００の所定領域４０４を下から上に貫くようにタッチする場合、貫くタッチ動作に対応してディスプレイ装置１は画面の下側エッジからＯＳＤ２４をスライディング表示する。
【００４８】
以降、使用者が入力装置１００のタッチ感知部４００の所定領域４０１を下から上に貫くようにタッチする場合、貫くタッチ動作に対応してディスプレイ装置１は、画面の上側エッジから表示されていたＯＳＤ２１がスライディングして消えるようにする。使用者が入力装置１００のタッチ感知部４００の所定領域４０２を右側から左側に貫くようにタッチする場合、貫くタッチ動作に対応してディスプレイ装置１は、画面の左側エッジから表示されていたＯＳＤ２２がスライディングして消えるようにする。使用者が入力装置１００のタッチ感知部４００の所定領域４０３を左側から右側に貫くようにタッチする場合、貫くタッチ動作に対応してディスプレイ装置１は、画面の右側エッジから表示されていたＯＳＤ２３がスライディングして消えるようにする。使用者が入力装置１００のタッチ感知部４００の所定領域４０４を上から下に貫くようにタッチする場合、貫くタッチ動作に対応してディスプレイ装置１は、画面の下側エッジから表示されていたＯＳＤ２４がスライディングして消えるようにする。
【００４９】
一方、ＯＳＤ表示時とは逆の方向に貫くタッチ動作によりＯＳＤ表示がスライディングして消えるようにする方法に加えて、ＯＳＤ表示から所定の時間内にそれ以上入力がないと、表示されていたＯＳＤが消えるようにしてもよい。
【００５０】
使用者のタッチ入力が所定領域４０１，４０２，４０３，４０４，４０２’，４０３’，４０４’，４０５，４０６，４０７，４０８，４０９に沿う方向と判断される場合に、入力装置１００の第２制御部３００は、ディスプレイ装置１が画面の複数のエッジのうち、使用者のタッチ入力に対応するいずれかのエッジに表示されたメニューに対してスクロール動作を行うように制御する命令を、ディスプレイ装置１の第１通信部６に伝送すればよい。
【００５１】
図８は、本発明の一実施例に係るディスプレイ装置１の画面において、タッチ入力によって、画面のエッジにスライディング表示されたメニュー項目に対するスクロール動作を示す概略図である。図８に示すように、所定領域４０３に対する貫く方向の使用者のタッチ入力に対応して、ディスプレイ装置１の画面の右側エッジにチャネル選択メニューが表示された場合を取り上げて説明する。このように、ディスプレイ装置１の画面の右側エッジにチャネル選択メニューが表示された状態で、所定領域４０３に沿う方向に使用者のタッチ入力が発生すると、入力装置１００の第２制御部３００は、ディスプレイ装置１が画面の右側エッジにスライディング表示されたチャネル選択メニューに対してスクロール動作を行うように制御する命令を、ディスプレイ装置１の第１通信部６に伝送すればよい。
【００５２】
以上説明したように、本発明によれば、入力装置１のタッチ感知部４００上に所定領域を割り当てることによって、使用者がタッチ感知部４００を直接見なくとも手ではかって所定領域を貫いたり擦ったりする動作により、定義された特定信号をディスプレイ装置１に伝送することができる。
【００５３】
また、入力装置１での操作方向とそれに対応して表示されるメニューの位置及び表示方向に一貫性を与えることによって、使用者が別の学習なしでも特定メニューを呼び出すことができる。
【００５４】
以上説明したディスプレイ装置及び入力装置を含むディスプレイシステムの制御方法は、下記の通りである。
【００５５】
図９は、本発明の一実施例に係るディスプレイシステムの制御方法を説明するためのフローチャートである。
【００５６】
まず、使用者は、入力装置のタッチ感知部に設けられた所定領域を外から奥の方に貫くようにタッチする。
【００５７】
所定領域を貫くタッチ入力が感知されると（Ｓ１０）、入力装置の第２制御部は、ディスプレイ装置が画面の複数のエッジのうち、使用者のタッチ入力に対応するいずれかのエッジからメニューを活性化させるように制御する命令を、ディスプレイ装置の第１通信部に伝送し、ディスプレイ装置が画面のエッジのうち対応するエッジから画面の中央の方にメニューをスライディング表示するようにする（Ｓ２０）。
【００５８】
以降、入力装置の第２制御部は、所定領域に沿う方向のタッチ入力がさらに感知されるか否か判断する（Ｓ３０）。所定領域に沿う方向のタッチ入力が感知されると（Ｓ３０のＹｅｓ）、入力装置の第２制御部は、ディスプレイ装置が画面の複数のエッジのうち使用者のタッチ入力に対応するいずれかに表示されたメニューに対してスクロール動作を行うように制御する命令を、ディスプレイ装置の第１通信部に伝送し、ディスプレイ装置がタッチ入力に対応してメニュー項目をスクロールするようにする（Ｓ４０）。
【００５９】
一方、前述した通り、所定領域を貫くタッチ入力と所定領域に沿うタッチ入力との間に所定の時間をあらかじめ設定してもよい。これにより、メニュー表示から所定の時間内にそれ以上タッチ入力がない場合、表示されているメニューが消えるようにしてもよい。
【００６０】
図１０は、本発明の他の実施例に係るディスプレイシステムの制御方法を説明するためのフローチャートである。
【００６１】
本実施例では、図９の実施例においてＳ２０の動作とＳ３０の動作との間に所定の時間が経過したか否かをさらに判断する（Ｓ２５）。すなわち、本実施例に係るディスプレイシステムの制御方法は、下記の通りである。
【００６２】
まず、使用者は、入力装置のタッチ感知部に設けられた所定領域を外から奥の方に貫くようにタッチする。
【００６３】
所定領域を貫くタッチ入力が感知されると（Ｓ１０）、入力装置の第２制御部は、ディスプレイ装置が画面の複数のエッジのうち、使用者のタッチ入力に対応するいずれかのエッジからメニューを活性化させるように制御する命令を、ディスプレイ装置の第１通信部に伝送し、ディスプレイ装置が画面のエッジのうち対応するエッジから画面の中央の方向にメニューをスライディング表示するようにする（Ｓ２０）。メニュー表示から所定の時間が経過したか否か判断する（Ｓ２５）。
【００６４】
所定の時間が経過したと判断されると（Ｓ２５のＹｅｓ）、表示されたメニューがスライディングして消えるようにする。
【００６５】
メニュー表示から所定の時間が経過していないと判断されると（Ｓ２５のＮｏ）、入力装置の第２制御部は、所定領域に沿う方向のタッチ入力がさらに感知されるか否か判断する（Ｓ３０）。
【００６６】
所定領域に沿う方向のタッチ入力が感知されると（Ｓ３０のＹｅｓ）、入力装置の第２制御部は、ディスプレイ装置が画面の複数のエッジのうち使用者のタッチ入力に対応するいずれかに表示されたメニューに対してスクロール動作を行うように制御する命令を、ディスプレイ装置の第１通信部に伝送し、ディスプレイ装置がタッチ入力に対応してメニュー項目をスクロールするようにする（Ｓ４０）。
【００６７】
このように、所定領域を貫くタッチ入力と所定領域に沿うタッチ入力との間に所定の時間をあらかじめ設定することによって、メニュー表示から所定の時間内にそれ以上タッチ入力がない場合に、表示されているメニューが消えるようにすることもできる。
【００６８】
以上説明した通り、本発明によれば、入力装置のタッチ感知部上に所定領域を割り当てることによって、使用者がタッチ感知部を直接見なくとも手ではかって所定領域を貫いたり擦ったりする動作により、定義された特定信号をディスプレイ装置に伝送することができる。
【００６９】
また、入力装置での操作方向とそれに対応して表示されるメニューの位置及び表示方向に一貫性を与えることによって、使用者にとって別の学習なしでも特定メニューを呼び出すことが可能になる。
【００７０】
以上説明した実施例は例示に過ぎず、当該技術の分野における通常の知識を有する者にとっては様々な変形及び均等な他の実施例が可能である。したがって、本発明の真の技術的保護範囲は、添付の特許請求の範囲に記載された発明の技術的思想により定められるべきであろう。
【符号の説明】
【００７１】
１        ディスプレイ装置
２        信号受信部
３        映像処理部
４        ディスプレイ部
５        第１制御部
６        第１通信部
１００    入力装置
２００    第２通信部
３００    第２制御部
４００    タッチ感知部
４０１，４０２，４０３，４０４，４０２’，４０３’，４０４’，４０５，４０６，４０７，４０８，４０９    所定領域
【図１】
2014106975.tif 000003
【図２】
2014106975.tif 000004
【図３】
2014106975.tif 000005
【図４】
2014106975.tif 000006
【図５】
2014106975.tif 000007
【図６】
2014106975.tif 000008
【図７】
2014106975.tif 000009
【図８】
2014106975.tif 000010
【図９】
2014106975.tif 000011
【図１０】
2014106975.tif 000012